(57)【要約】  プレートフィン流体処理デバイスは、活性層を含み、各活性層は、活性流体空間が仕切りシート間に画定されるように仕切りシート間に挟まれるフィンプレートを含む。活性層は、入口及び出口を有する最も外側の活性層を含む。偶発層ボディは、最も外側の活性層に隣接して位置決めされ、仕切りシートとキャップシートとの間に位置決めされるフィンプレートを含む。偶発層ボディは、大気に対してシールされる流体空間を有する。圧力監視システムは、偶発層ボディの流体空間と連通する。緊急圧力緩和デバイスは、事前設定圧力を超過する場合に流体空間内の圧力を解放するように構成される。【選択図】図４
2021501299.tif 000002
【特許請求の範囲】
【請求項１】
ａ．複数の活性層であって、各活性層は、活性流体空間が仕切りシート間に画定されるように前記仕切りシート間に挟まれるフィンプレートを含み、前記複数の活性層は、入口及び出口を有する最も外側の活性層を含む、複数の活性層と、
ｂ．前記最も外側の活性層に隣接して位置決めされる偶発層ボディであって、仕切りシートとキャップシートとの間に位置決めされるフィンプレートを含み、大気に対してシールされて大気圧力より上又は下である所定の圧力で不活性ガスを包含する流体空間を有する、偶発層ボディと、
ｃ．前記偶発層ボディの前記流体空間と連通する圧力監視システムと、
ｄ．事前設定圧力を超過する場合に前記流体空間内の圧力を解放するように構成される緊急圧力緩和デバイスと
を含む、プレートフィン流体処理デバイス。
【請求項２】
前記所定の圧力は、周囲圧力より上であるが、前記最も外側の活性層の流れの動作圧力より下である、請求項１に記載のプレートフィン流体処理デバイス。
【請求項３】
前記所定の圧力は、約６８９．４７６ｋＰａ（１００ｐｓｉ）である、請求項２に記載のプレートフィン流体処理デバイス。
【請求項４】
前記不活性ガスは、窒素である、請求項３に記載のプレートフィン流体処理デバイス。
【請求項５】
前記不活性ガスは、窒素及び乾燥空気からなる群から選択されるガスである、請求項１に記載のプレートフィン流体処理デバイス。
【請求項６】
前記偶発層ボディは、低点ドレンを含む、請求項１に記載のプレートフィン流体処理デバイス。
【請求項７】
前記偶発層ボディは、複数の偶発層を含み、各偶発層は、一対の仕切りシート間、又は、仕切りシートと端部キャップとの間に位置決めされるフィンプレートを含む、請求項１に記載のプレートフィン流体処理デバイス。
【請求項８】
前記緊急圧力緩和デバイスは、前記偶発層ボディの前記流体空間と流体連通する偶発層ヘッダと、前記偶発層ヘッダと流体連通する圧力作動弁と、を含む、請求項１に記載のプレートフィン流体処理デバイス。
【請求項９】
前記偶発層ボディの前記流体空間は、部分的な真空を包含する、請求項１に記載のプレートフィン流体処理デバイス。
【請求項１０】
プレートフィン流体処理デバイスの漏れを検出するための方法であって、前記プレートフィン流体処理デバイスは、複数の活性層を有し、各活性層は、活性流体空間が仕切りシート間に画定されるように前記仕切りシート間に挟まれるフィンプレートを含み、前記複数の活性層は、入口及び出口を有する最も外側の活性層を含み、
ａ．不活性ガスを、前記最も外側の活性層に隣接して位置決めされる偶発層ボディ内の大気圧力より上又は下である所定の圧力で、貯蔵するステップと、
ｂ．前記偶発層ボディの中の圧力の増加又は減少を検出するステップと、
ｃ．オペレータに、前記偶発層ボディの中の圧力の前記増加又は減少が起きたことを、信号伝達するステップと
を含む、方法。
【請求項１１】
前記所定の圧力は、周囲圧力より上であるが、前記最も外側の活性層の流れの動作圧力より下である、請求項１０に記載の方法。
【請求項１２】
前記所定の圧力は、約６８９．４７６ｋＰａ（１００ｐｓｉ）である、請求項１１に記載の方法。
【請求項１３】
前記不活性ガスは、窒素である、請求項１２に記載の方法。
【請求項１４】
前記偶発層ボディ内が事前設定圧力に達すると、前記偶発層ボディを大気に又は廃棄システムに通気するステップを更に含む、請求項１０に記載の方法。
【請求項１５】
前記事前設定圧力は、前記プレートフィン流体処理デバイスの活性層の設計圧力である、請求項１４に記載の方法。
【請求項１６】
ステップａ．は、前記偶発層ボディ内の部分的な真空を維持するステップを含む、請求項１０に記載の方法。
【請求項１７】
前記不活性ガスは、窒素及び乾燥空気からなる群から選択されるガスである、請求項１０に記載の方法。
【請求項１８】
ａ．複数の活性層であって、各活性層は、活性流体空間が仕切りシート間に画定されるように前記仕切りシート間に挟まれるフィンプレートを含み、前記複数の活性層は、入口及び出口を有する最も外側の活性層を含む、複数の活性層と、
ｂ．前記最も外側の活性層に隣接して位置決めされる偶発層ボディであって、仕切りシートとキャップシートとの間に位置決めされるフィンプレートを含み、大気に対してシールされる流体空間と、前記最も外側の活性層の設計圧力に略等しいか又はそれより高い設計圧力と、を有する、偶発層ボディと、
ｃ．前記偶発層ボディの前記流体空間と流体連通する第１の圧力緩和デバイスと、
ｄ．前記偶発層ボディの前記流体空間と連通し、前記流体空間内の圧力を絶えず測定するように構成される圧力監視システムと、
ｅ．前記圧力監視システムに連結され、前記流体空間内の圧力が所定のレベルを超えると活動化される、信号伝達デバイスと
を含む、プレートフィン流体処理デバイス。
【請求項１９】
前記第１の圧力緩和デバイスは、前記偶発層ボディの前記流体空間内の圧力が所定の設定点を超えると、前記偶発層ボディの前記流体空間及び前記最も外側の活性層の前記活性流体空間又は前記最も外側の活性層の前記出口と流体連通するように構成される、請求項１８に記載のプレートフィン流体処理デバイス。
【請求項２０】
前記偶発層ボディは、前記流体空間が大気圧力より上又は下である所定の圧力で不活性ガスを包含しており、前記最も外側の活性層の前記活性流体空間と流体連通する第２の圧力緩和デバイスを更に含む、請求項１８に記載のプレートフィン流体処理デバイス。
【発明の詳細な説明】
【技術分野】
【０００１】
優先権の主張
[0001]本出願は、２０１７年１０月３１日に提出された米国仮出願第６２／５７９，２７０号、２０１８年３月９日に提出された米国仮出願第６２／６４０，９８１号、及び、２０１８年１０月２４日に提出された米国特許出願第１６／１６９，７０３号の利益を主張し、それらの個々の内容は、参照によって本明細書に組み込まれる。
【０００２】
[0002]本主題は、概して流体処理デバイスに関し、特に、漏れ検出システムを有するプレートフィン流体処理デバイス及びシステム、並びに、システムの動作の方法に関する。
【背景技術】
【０００３】
[0003]小型のプレートフィン流体処理デバイスは、熱交換器の体積に対する伝熱面の高い比率を有するという点で、それらの高い「面積密度」を特徴とする。結果として、処理流体が加熱又は冷却される熱交換器として、或いは、処理の流れがデバイス内に位置決めされた触媒に衝突する反応器として、使用するのが一般的である。２つの機能は、幾つかの流体処理の用途で組み合わされることがある。
【０００４】
[0004]プレートフィン熱交換器では、プレートの積重ねは、プレートの積重ねが種々の流体流れを分離するように、フィンシート、フィンプレート、又は、別の方式で隣接するプレート間のフィン、で組み立てられる。フィンプレートは、構造体の強度に加重し、また、流体のための追加の流れ経路を提供するために穿孔やセレーションが設けられることがある。
【０００５】
[0005]先行技術のプレートフィン流体処理デバイスのコアの簡略化された例は、図１に２０で概括的に表示される。プレートフィンデバイスは、基本的にウィスコンシン州ラクロスのＣｈａｒｔ  Ｅｎｅｒｇｙ＆Ｃｈｅｍｉｃａｌｓ，Ｉｎｃ．のろう付けアルミニウム熱交換器（ＢＡＨＸ）及び反応器の技術を使用する。より具体的には、図１に例証されたように、デバイスは、２２ａ〜２２ｃで例証された波形フィンを積み重ねることによって構築され、仕切りシート又はプレート２４ａ及び２４ｂによって分離され、縁部に沿ってサイド又はエンドバー２６ａ〜２６ｆでシールされる。キャップシート２８ａ及び２８ｂは、構造体の外部表面を形成する。すべての構成要素は、典型的にアルミニウムから構築され、組立体は、一体型の剛性ブロック、ボディ又はコアを形成するために、真空炉でろう付けされる。
【０００６】
[0006]図１は、プレートフィン熱交換器のコアが例証された３つよりも遥かに多くの層を典型的に特徴とする点で簡略化された例証を提供する。
【０００７】
[0007]矢印３２ａ及び３２ｂによって例証されたように、流体は、フィン２２ａ及び２２ｃを通って第１の方向に流れることがあり、他方、流体は、矢印３４によって例証されたように、矢印３２ａ及び３２ｂの方向を横切る第２の方向にフィン２２ｂを通って流れることがある。図１のフィン２２ｂは、フィン２２ｂ’の一部を通る流れがフィン２２ａ及び２２ｃを通る流れに対する対向流になり得るように、フィン２２ａ及び２２ｃに平行に走るフィン３６を含むために、図２の２２ｂ’で概括的に表示されたやり方で、代替的に構成されることがある。勿論、他の流れ方向は、当技術分野で知られている。
【０００８】
[0008]熱交換器コアの第２の例は、図３に４０で概括的に表示され、対応する構成要素は、図１と同じ番号を使用する。図２（３８ａ及び３８ｂ）及び図３（４２ａ〜４２ｅ）に例証されたように、ノズルを有するヘッダ（図２の４４ａ及び４４ｂ、図３の４６ａ〜４６ｅ）は、フィンシートの開いた端部の上に配置され、流体配管は、流体の流れを層に方向付けするために及び層からの流体の流れを受容するために、ノズルに連結される。
【０００９】
[0009]先行技術では、熱交換器の積重ねの上部及び底部の活性層の流体の流れの方向に平行に走る不活性層を含むことが知られている。例えば、不活性である追加のフィンプレートと、追加の仕切りシートとは、図１のキャップシート２８ａと最も外側の活性フィンプレート２２ａとの間に設けられる（不活性フィンプレートは、キャップシート２８ａと追加の仕切りシートとの間に挟まれる）。同様に、不活性である追加のフィンプレートと、追加の仕切りシートとは、図１のキャップシート２８ｂとフィンプレート２２ｃとの間に設けられる（不活性フィンプレートは、キャップシート２８ｂと追加の仕切りシートとの間に挟まれる）。これらの不活性層の個々には、エンドバーと圧力試験用の少なくとも１つのヘッダ及びノズルとが設けられる。ノズルの開口は、輸送中及び貯蔵中に湿気や破片を不活性なエリアの外に保持するために、圧力試験後に仮のプラグで典型的にシールされる。プラグは、圧力の蓄積を防止するために、動作のために取り外される。
【００１０】
[0010]不活性層は、輸送及び設置中に起こり得るような外力及び衝撃から熱交換器の活性層を保護する。不活性層は、ヘッダ及び他の固定具を取り付けるためのコア用の増加された表面積を提供することもある。
【００１１】
[0011]熱交換器の寿命の最後に近いと、流体の漏れは、特に、キャップシート又は最も外側の活性層において、発生することがある。そういった流体の漏れをそれらの形成前に予測すること、並びに、熱交換器の修理又は交換が成し遂げられ得るように、そういった漏れをオペレータに通知するために、運転中に漏れを検出することが望ましい。
【発明の概要】
【課題を解決するための手段】
【００１２】
[0012]本主題には幾つかの態様が存在し、それらは以下に説明及び特許請求されるデバイス及びシステムにおいて、別々に又は一緒に具現化されることがある。これらの態様は、単独で又は本明細書で説明される主題の他の態様と組み合わせて採用されることがあり、これらの態様の説明をまとめて行うことは、これらの態様の単独での使用、或いは、そういった態様の単独での、又は、本明細書に添付の特許請求の範囲に記載されたような異なった組合せでの請求、を除外することを意図していない。
【００１３】
[0013]１つの態様では、プレートフィン流体処理デバイスは、幾つかの活性層を含み、各活性層は、活性流体空間が仕切りシート間に画定されるように仕切りシート間に挟まれるフィンプレートを含む。複数の活性層は、入口及び出口を有する最も外側の活性層を含む。偶発層ボディは、最も外側の活性層に隣接して位置決めされ、また、仕切りシートとキャップシートとの間に位置決めされるフィンプレートを含む。偶発層ボディは、大気に対してシールされて大気圧力より上又は下である所定の圧力で不活性ガスを包含する流体空間を有する。圧力監視システムは、偶発層ボディの流体空間と連通する。緊急圧力緩和デバイスは、事前設定圧力を超過する場合に流体空間内の圧力を解放するように構成される。
【００１４】
[0014]別の態様では、プレートフィン流体処理デバイスの漏れを検出するための方法であって、プレートフィン流体処理デバイスは、幾つかの活性層を有し、各活性層は、活性流体空間が仕切りシート間に画定されるように仕切りシート間に挟まれるフィンプレートを含み、幾つかの活性層は、入口及び出口を有する最も外側の活性層を含み、方法が、不活性ガスを、最も外側の活性層に隣接して位置決めされる偶発層ボディ内の大気圧力より上又は下である所定の圧力で、貯蔵するステップと、偶発層ボディの中の圧力の増加又は減少を検出するステップと、オペレータに、偶発層ボディの中の圧力の増加又は減少が起きたことを、信号伝達するステップと、を含む。
【００１５】
[0015]更に別の態様では、プレートフィン流体処理デバイスは、幾つかの活性層を含む。各活性層は、活性流体空間が仕切りシート間に画定されるように仕切りシート間に挟まれるフィンプレートを含む。幾つかの活性層は、入口及び出口を有する最も外側の活性層を含む。偶発層ボディは、最も外側の活性層に隣接して位置決めされる。偶発層ボディは、仕切りシートとキャップシートとの間に位置決めされるフィンプレートを含み、また、大気に対してシールされる流体空間と、最も外側の活性層の設計圧力に略等しいか又はそれより高い設計圧力と、を有する。第１の圧力緩和デバイスは、偶発層ボディの流体空間と流体連通する。圧力監視システムは、偶発層ボディの流体空間と連通し、流体空間内の圧力を絶えず測定するように構成される。信号伝達デバイスは、圧力監視システムに連結され、流体空間内の圧力が所定のレベルを超えると、活動化される。
【図面の簡単な説明】
【００１６】
【図１】[0016]プレートフィン流体処理デバイスの先行技術のコア又はボディの斜視図である。
【図２】[0017]先行技術のプレートフィン流体処理デバイスのフィンプレート、サイドバー、ヘッダ及びノズルの上部立面図である。
【図３】[0018]先行技術のプレートフィン流体処理デバイスの斜視図である。
【図４】[0019]本開示のプレートフィン流体処理デバイスの第１の実施形態の部分斜視図である。
【図５】[0020]図４のプレートフィン流体処理デバイスを含む本開示のプレートフィン流体処理システムの第１の実施形態の概略図である。
【図６】[0021]本開示のプレートフィン流体処理システムの第２の実施形態の概略図である。
【図７】[0022]図６のプレートフィン流体処理システムの様々な実施形態の漏れ抑制経路及び圧力緩和経路の例を例証する線図である。
【図８】[0023]本開示のプレートフィン流体処理デバイスの第２の実施形態の斜視図である。
【図９】[0024]図８のプレートフィン流体処理デバイスの圧力緩和回路の拡大斜視図である。
【図１０】[0025]本開示のプレートフィン流体処理デバイスの第３の実施形態の圧力緩和回路の斜視図である。
【発明を実施するための形態】
【００１７】
[0026]本開示の流体処理デバイスの実施形態での使用に適した構造の例は、共通に所有されている、両方ともＷａｔｔｏｎらの米国特許第６，５１０，８９４号及び第６，７３６，２０１号、Ｊｉａらの米国特許第７，９９８，３４５号、並びにＨｅｓｓｅｌｇｒｅａｖｅｓの米国特許第５，１９３，６１１号、に提示されており、その個々の内容は、参照によって本明細書に組み込まれる。
【００１８】
[0027]下の実施形態は、熱交換器に関して説明されるが、本開示の流体処理デバイスは、反応器又は他の流体処理用途に組み込まれることもあることを理解されたい。
【００１９】
[0028]その上、波形フィンプレートが例証されているが、フィンは、単に例として、ヘリンボーン又はシェブロン形状のフィンを含む、当技術分野で知られている他の形状を採ることがある。
【００２０】
[0029]多くの状況において、プレートフィン熱交換器の外側の不活性層が、活性層の内部仕切りシートを介した望ましくない流体連通を有する前に、不活性層の外側キャップシートを介した望ましくない流体連通を有する可能性が高いことが、本発明者らによって発見された。
【００２１】
[0030]図４に例証された本開示のプレートフィン流体処理デバイスの実施形態では、４５で概括的に表示されたプレートフィン熱交換器の不活性層４３は、偶発層ボディを作り上げ、また、大気に対してシールされて約６８９．４７６ｋＰａ（１００ｐｓｉ）（単なる一例として）などの所定の圧力まで不活性ガスで加圧される流体空間を画定する。所定の圧力は、好ましくは、周囲より高いが、最も外側の活性層４６の流れの動作圧力より低い圧力になるように選択される。単なる一例として、窒素は、偶発層ボディ又は不活性層４３の流体空間を加圧するために使用されることがあるが、乾燥空気（ほぼ乾燥した空気を含む）を含むがそれに限定されない代替の不活性ガスが選択されることがある。
【００２２】
[0031]熱応力又は蓄積された熱疲労損傷が、外側キャップシート４７でのクラックの形成を引き起こす場合（図４）に、少なくとも最も外側の不活性層４３の不活性ガスは、クラックを通って脱出し、不活性層の圧力は、低下する。
【００２３】
[0032]図５に例証されたように、偶発層ボディ又は不活性層４３には、不活性層の流体空間内の圧力の任意の低下又は上昇を検出する圧力監視デバイス又はシステム４８が設けられる。そういった圧力監視システムは、圧力変換器、又は、当技術分野で知られている任意の他の圧力検出／監視デバイス若しくはシステムを含む場合がある。圧力変換器は、圧力が所定の範囲から外れると活動化される、点滅灯又は警告ベル若しくはホーンなどの任意の信号伝達システム又はデバイスに連結される場合がある。代替的に、圧力変換器は、信号伝達又は他の機能を提供するためにプラント制御ロジックに連結される場合がある。
【００２４】
[0033]クラックしたキャップシートに起因する不活性層４３の圧力低下は、圧力監視システム４８によって検出され、図５の４９で表示されたように、信号は、システムオペレータに提供される。
【００２５】
[0034]同様に、不活性層４３を最も外側の活性層４６から分離するクラックが仕切りシートに形成される場合に、不活性層の流体空間の圧力は、最も外側の活性層の圧力に適合するために、結果として生じる漏れ経路（図５の矢印５０で表される）に起因して上昇する。この不全は、不活性層圧力監視システム４８によっても検出される。
【００２６】
[0035]偶発層ボディ又は不活性層４３には、過度の加圧を防止するために、事前設定圧力を超過する場合に不活性層の流体空間を大気に又は廃棄システムに通気するために、図５の５１で及び図４の５１で概括的に表示される緊急圧力緩和デバイスが設けられる。廃棄システムの例は、それらに限定されないが、フレア、焼却炉、熱酸化装置又は発電機回収システムを含む。単なる一例として、図４を参照すると、緊急圧力緩和デバイス５１は、不活性層４３のヘッダ５５のノズルに連結される配管５３の遠位端に位置決めされる圧力作動弁５２又は同様の構成要素を含むことがある。結果として、配管５３及びヘッダ５５は、不活性層４３の内部流体空間に開いている。単なる一例として、圧力作動弁５２は、逆止弁、圧力調整器、或いは、当技術分野で知られている他の圧力作動弁又はデバイスを含む場合がある。圧力作動弁は、１つ又は複数の不活性層４３の圧力が、最も外側の活性層の、設計圧力又は設計圧力より僅かに上の圧力などの設定値を超えると、圧力を緩和するために自動的に開く。
【００２７】
[0036]図５に例証されたように、偶発層ボディ又は不活性層４３は、漏れが最も外側の活性層と不活性層との間に生じて緊急圧力緩和デバイス５１が漏れに対応することができないケースでは、液体又は他の流体の不活性層又は偶発層を排出するために開かれることのある弁を含む低点ドレン５７も有する。低点ドレン弁は、手動、自動、又は、遠隔で開かれることがある。低点ドレンは、偶発層の流体空間を圧力で満たすために、入口で使用される場合もある。
【００２８】
[0037]本開示のプレートフィン流体処理デバイスの代替的な実施形態では、図４のプレートフィン熱交換器の偶発層ボディの不活性層４３は、流体空間が大気圧より低い圧力になるように、大気に対して少なくとも部分的な真空でシールされる流体空間を画定する。熱応力又は蓄積された熱疲労損傷が、外側キャップシート４７でのクラックの形成を引き起こす場合（図４）に、大気からの空気は、偶発層ボディの流体空間に、その中の圧力が上昇するように、進入する。そういった圧力の上昇は、不活性層圧力監視システム（図５の４８）によって検出される。
【００２９】
[0038]同様に、不活性層４３を最も外側の活性層４６から分離するクラックが仕切りシートに形成される場合（図４）に、不活性層の流体空間の圧力は、最も外側の活性層の圧力に適合するために、結果として生じる漏れ経路（図５の矢印５０で表される）に起因して上昇する。この不全は、不活性層圧力監視システム４８によっても検出される。
【００３０】
[0039]本開示のプレートフィン流体処理デバイスの代替的な実施形態における最も外側の活性層５２及び隣り合う若しくは隣接する偶発層５４を例証する概略図は、図６に提示される。単一の偶発層５４が例証されるが、偶発層が、複数の層を含むことがあり、各層が、一対の仕切りシート（又は、仕切りシートとキャップシートと）の間に挟まれたフィンプレートを含むことを理解されたい。偶発層のフィンは、隣接する最も外側の活性層の最も弱いフィンと少なくとも強度（設計圧力）が等しい。
【００３１】
[0040]その上、図６は、熱交換器の一端における隣接する最も外側の活性層及び偶発層を例証するが、熱交換器の他端が、図６に関して下で説明されるやり方で動作する隣接する最も外側の活性層及び偶発層も含むことを理解されたい。
【００３２】
[0041]流体空間は、最も外側の活性層及び各偶発層に対して存在する。用語「流体空間」は、偶発層に関して下で使用されるとき、熱交換器の一方側のすべての偶発層の流体空間を包含することを理解されたい。
【００３３】
[0042]図６に例証されたように、圧力監視デバイス５６は、偶発層５４の流体空間と連通する。単なる一例として、圧力監視デバイスは、圧力変換器である場合がある。圧力変換器は、点滅ライト又は警告ベル若しくはホーンなどの任意の信号伝達システム又はデバイスに連結される場合がある。代替的に、圧力変換器は、プラント制御ロジックに連結される場合がある。
【００３４】
[0043]第１の圧力緩和デバイス５８は、偶発層５４と最も外側の活性層５２との間に、下で説明されるやり方で、連結される。加えて、第２の圧力緩和デバイス６２は、最も外側の活性層５２の流体空間に連結される。単なる一例として、第２の圧力緩和デバイス６２は、活性層５２のヘッダのノズルに連結される配管に位置決めされる圧力作動弁又は同様のデバイスを含むことがある。
【００３５】
[0044]図６の６４で表示された漏れが熱交換器の最も外側の活性層５２と偶発層５４との間に生じるケースでは、偶発層の流体空間は、加圧されることになる。圧力が所定のレベルを超えるとき、圧力監視デバイスは、偶発層への漏れが起きたというオペレータへの警告を提供する。これは、熱交換器の寿命のかなりの部分が消費されたという信号として役立つことがある。
【００３６】
[0045]第１の圧力緩和デバイス５８は、偶発層の圧力が、最も外側の活性層の圧力などの所定のレベルを超えるか又は所定の設定点に達するときはいつでも、偶発層５４から最も外側の活性層５２（又は下で説明されるような他の関連する行先）への流体の流れを可能にするために活動化する。単なる一例として、圧力緩和デバイス５８は、逆止弁、圧力調整器、或いは、当技術分野で知られている他の圧力作動弁又はデバイスを含む場合がある。
【００３７】
[0046]第２の圧力緩和デバイス６２は、逆止弁、圧力調整器、或いは、当技術分野で知られている他の圧力作動弁又はデバイスの形態を採ることがある。第２の圧力緩和デバイスは、最も外側の活性層５２の圧力が、最も外側の活性層の、設計圧力又は設計圧力より僅かに上の圧力などの設定値を超えると、圧力を緩和するために自動的に開く。
【００３８】
[0047]偶発層５４は、漏れが最も外側の活性層と偶発層との間に生じて第１の圧力緩和デバイス５８が漏れに対応することができないケースでは、液体又は他の流体の偶発層を排出するために開かれることのある弁を含む低点ドレン６６も有する。低点ドレン弁は、手動、自動、又は、遠隔で開かれることがある。
【００３９】
[0048]図７に転じると、偶発層は、５４で概括的に表示されており、個々が１つ又は複数のノズル７６ａ及び７６ｂをそれぞれ有する一対のヘッダ７４ａ及び７４ｂを装備した偶発層コア又はボディ７２（上で説明されたように、複数の層を含むことがある）を含む。ヘッダ７４ａ及び７４ｂは、個々が偶発層ボディの入口又は出口と流体連通している。ヘッダ７４ａ及び７４ｂとノズル７６ａ及び７６ｂとは、圧力試験のために水で偶発層ボディ７２を充填及び排出するのに必要とされ、また、偶発層が熱交換器のための標準動作状態中に使用されないために、ノズルの開口は、そういった試験後にシールされることがあり、或いは、代わりに圧力監視デバイス、第１の圧力緩和デバイス、又は、低点ドレンに連結されることがある。
【００４０】
[0049]偶発層５４と同様に、最も外側の活性層は、図７に５２で概括的に表示されており、個々が１つ又は複数のノズル８６ａ及び８６ｂをそれぞれ有する一対のヘッダ８４ａ及び８４ｂを装備した最も外側の活性層コア又はボディ８２（最も外側の活性層を含む）を含む。ヘッダ８４ａ及び８４ｂは、個々が活性層の入口又は出口と流体連通している。ヘッダ８４ａ及び８４ｂとノズル８６ａ及び８６ｂとは、熱交換器の最も外側の活性層、及び、最も外側の活性層の間に位置決めされた熱交換器の他の活性層、に流体を提供し、また、そこから流体を除去する。
【００４１】
[0050]図７に例証されたように、偶発層５４を最も外側の活性層５２に、第１の圧力緩和デバイス（図６の５８）を介して連結するための多くの選択肢が存在する。
【００４２】
[0051]図８及び図９に例証された１つの実施形態では、プレートフィン熱交換器９２は、複数の偶発層を特徴とする偶発層ボディ７２と、隣接する最も外側の活性層８２と、を特徴とする。圧力緩和回路は、９４で概括的に表示されており、第１の圧力緩和デバイス５８と、偶発層ヘッダ７４ａのノズル７６ａのポート及び最も外側の活性層８２のヘッダ８４ａのポートに連結されている流体連結線路６０ａ及び６０ｂと、を特徴とする。これは、図７の矢印９４として示されてもいる。図９を参照すると、偶発層ボディ７２の偶発層のバー９８と最も外側の活性層ボディ８２のバー１００とは、偶発層のフィンが偶発層ヘッダ７４ａ（及び図示しない別のヘッダの可能性もある）に対してだけ開き、最も外側の活性層のフィンがヘッダ８４ａ（及び、図示しない別のヘッダ）に対してだけ開くように、構成される。取り分け、圧力緩和回路９４によって許容される場合を除いて、偶発層ボディ７２の偶発層は、ヘッダ８４ａと流体連通しない。
【００４３】
[0052]上で説明されたように、漏れが最も外側の活性層ボディ８２と偶発層ボディ７２との間に生じると、偶発層ボディ内の圧力は、上昇する。ヘッダ８４ａと偶発層ボディ７２との間の圧力差に基づいて圧力緩和デバイス５８によって検出される際に、この圧力が最も外側の活性層ボディ内の圧力を超えると、圧力緩和デバイスは、偶発層ボディからの流体がヘッダ８４ａに流れるように（図９の矢印１０２及び図７の矢印９４によって表示されたように）開く。
【００４４】
[0053]図８を参照すると、同様の配置は、矢印１０４で概括的に表示されたように、偶発層ボディ及び最も外側の活性層に対して、熱交換器９２の反対端に存在する。
【００４５】
[0054]図１０に例証された別の実施形態では、１１０で概括的に表示された偶発層は、キャッププレート１１４と仕切りシート１１６との間に挟まれ、バー１１２によって片側で境界決めされたフィンプレート（図１０では見えない）を特徴とする。１２０で概括的に表示された隣接する最も外側の活性層は、仕切りシート１１６と仕切りシート１２２との間に挟まれ、バー１２４によって片側で境界決めされたフィンプレート（図１０では見えない）を特徴とする。
【００４６】
[0055]１２６で概括的に表示された圧力緩和回路は、第１の圧力緩和デバイス５８と、サイドバー１１２及び１２４に形成されたポートに連結されている流体連結線路１２８ａ及び１２８ｂと、を特徴とする。これは、図７の矢印１２６として示されてもいる。
【００４７】
[0056]上で説明されたように、漏れが最も外側の活性層１２０と偶発層１１０との間に生じると、偶発層内の圧力は、上昇する。２つの層の流体空間の間の圧力差に基づいて圧力緩和デバイス５８によって検出される際に、この圧力が最も外側の活性層内の圧力を超えると、圧力緩和デバイスは、偶発層からの流体が最も外側の活性層に流れるように（図１０の矢印１３２及び図７の矢印１２６によって表示されたように）開く。
【００４８】
[0057]図７の残りの矢印によって例証されたように、代替的な実施形態では、第１の圧力緩和デバイス（図６の５８）は、ノズル、ヘッダ、又は偶発層メインボディを介して偶発層ボディに連結される場合があり、また、ノズル、ヘッダ、最も外側の活性層メインボディ、最も外側の活性層と同じ流れを包含する他の層、又は、最も外側の活性層に関連付けされた上流若しくは下流の配管、を介して最も外側の活性層に連結される場合がある。
【００４９】
[0058]単なる一例として、上で説明された熱交換器は、２０６．８４３ｋＰａ（３０ｐｓｉ）から８９６３．１８４ｋＰａ（１３００ｐｓｉ）の範囲の流体流れ圧力に順応するように設計される場合がある。別の例として、熱交換器は、１３７８．９５から２０６８．４３ｋＰａ（２００から３００ｐｓｉ）の間の流体流れ圧力に順応する場合がある。幾つかの実施形態では、第１の圧力解放デバイスは、偶発層流体空間が熱交換器設計圧力よりも高い圧力であるときはいつでも活動化するように構成されることがある。
【００５０】
[0059]結果として、本開示のプレートフィン流体処理デバイスの実施形態は、不活性層のキャップシート（又は外側シート）がクラックするときを検出するデバイス及び方法を提供し、それは、熱交換器の動作寿命の相当な部分が消費されたことの指標である。更には、指標は、不活性層及び活性層を分離する仕切りシートが損なわれる場合に提供される。
【００５１】
[0060]本主題は、特定の構造、方法及び例を参照して本明細書で説明されるが、これは単に例証の目的のためであり、本主題が、この主題を依然として採用しながら、特定の構成及び外観において異なり得るデバイス及びシステムの広範囲に適用可能であることは理解されよう。
【００５２】
[0061]本発明の好適な実施形態が示されて説明されてきたが、添付の特許請求の範囲によってその範囲が画定される本発明の趣旨から逸脱することなく変更及び修正が本明細書において行われ得ることは、当業者には明らかであろう。
【図１】
2021501299.tif 000003
【図２】
2021501299.tif 000004
【図３】
2021501299.tif 000005
【図４】
2021501299.tif 000006
【図５】
2021501299.tif 000007
【図６】
2021501299.tif 000008
【図７】
2021501299.tif 000009
【図８】
2021501299.tif 000010
【図９】
2021501299.tif 000011
【図１０】
2021501299.tif 000012
【国際調査報告】
2021501299.tif 000013
2021501299.tif 000014